(57)【特許請求の範囲】
【請求項１】
使用者の胸部に押し当てる胸部部材と、
上記胸部部材の両端に該胸部部材の軸心方向に対してそれぞれ所定の角度で傾斜した状態で回転可能に設けられる、棒状の第１アーム部材及び第２アーム部材と、
上記胸部部材の両端に該胸部部材の軸心方向に対して上記第１アーム部材及び第２アーム部材とは異なる所定の角度で傾斜した状態で回転可能にそれぞれ設けられ、上記使用者の脇に配置される、棒状の第１脇下部材及び第２脇下部材とを備える
ことを特徴とするゴルフスイング練習具。
【請求項２】
請求項１に記載のゴルフスイング練習具であって、
上記第１アーム部材を上記胸部部材に対して回動可能に連結する第１連結部材と、
上記第２アーム部材を上記胸部部材に対して回動可能に連結する第２連結部材とを備えている
ことを特徴とするゴルフスイング練習具。
【請求項３】
使用者の胸部に押し当てる胸部部材と、
上記胸部部材の両端に該胸部部材の軸心方向に対してそれぞれ所定の角度で傾斜した状態で回転可能に設けられる第１アーム部材及び第２アーム部材と、
上記胸部部材の両端にそれぞれ設けられ、上記使用者の脇に配置される第１脇下部材及び第２脇下部材と、
上記第１アーム部材を上記胸部部材に対して回動可能に連結する第１連結部材と、
上記第２アーム部材を上記胸部部材に対して回動可能に連結する第２連結部材とを備え、
上記第１連結部材は、上記第１アーム部材を上記胸部部材の軸心方向に対して１２０°の角度で傾斜した状態で回転可能に連結すると共に、上記第１脇下部材を連結する三つ叉部材であり、
上記第２連結部材は、上記第２アーム部材を上記胸部部材の軸心方向に対して１２０°の角度で傾斜した状態で回転可能に連結すると共に、上記第２脇下部材を連結する三つ叉部材である
ことを特徴とするゴルフスイング練習具。
【請求項４】
請求項３に記載のゴルフスイング練習具であって、
上記第１連結部材は、上記第１脇下部材を上記胸部部材の軸心方向に対して１２０°の角度で傾斜した状態で回転可能に連結すると共に、
上記第２連結部材は、上記第２脇下部材を上記胸部部材の軸心方向に対して１２０°の角度で傾斜した状態で回転可能に連結している
ことを特徴とするゴルフスイング練習具。
【請求項５】
請求項１から４のうちいずれか１つに記載のゴルフスイング練習具であって、
上記胸部部材、上記第１アーム部材、上記第２アーム部材、上記第１脇下部材及び上記第２脇下部材は、それぞれ互いに脱着可能に構成されている
ことを特徴とするゴルフスイング練習具。
【請求項６】
請求項１から請求項５のうちいずれか１項のゴルフスイング練習具の使用方法であって、
上記胸部部材を上記使用者の胸部に押し当て、第１脇下部材及び第２脇下部材を使用者の脇に配置した状態で、上記第１アーム部材に利き腕を添え、上記第２アーム部材に該利き腕と反対側の腕を添えた状態でスイングしながら、スイングを矯正する
ことを特徴とするゴルフスイング練習具の使用方法。
【請求項７】
請求項１から請求項５のうちいずれか１項のゴルフスイング練習具の使用方法であって、
上記胸部部材を上記使用者の胸部に押し当て、第１脇下部材及び第２脇下部材を使用者の脇に固定した状態で、上記第１アーム部材と上記第２アーム部材の間にゴルフクラブを握った両腕を配置した状態でスイングしながら、スイングを矯正する
ことを特徴とするゴルフスイング練習具の使用方法。
【発明の詳細な説明】
【技術分野】
【０００１】
本発明は、ゴルフの練習に用いられるゴルフスイング練習具及びその使用方法に関するものである。
【背景技術】
【０００２】
ゴルフのスイングをする際の姿勢が適切かどうかを確認するためには、他人に見てもらったり録画して自分で見たりすることが行われている。しかし、これらは、いずれも費用や時間を必要とするものである。
【０００３】
そこで、例えば弾性を有する帯紐にて形成したたすき本体と、このたすき本体の両側に設けられ人体の上腕の内側から外側に巻き付けられるとともに先端部が前記人体の手首に装着されたサポータに取り付けられる弾性を有する帯紐にて形成した一対の巻き付け部とを具備したゴルフスイング練習具が知られている（例えば、特許文献１参照）。このゴルフスイング練習具を用いると、人体の両腕が身体側に引き寄せられて動きが規制されるから、ゴルフのスイングを練習する際に両肘がみだりに振れることがなくなる。
【０００４】
また、一端部側部分にグリップ部が設けられた第１棒状部材と、この第１棒状部材における他端部側部分に、第１棒状部材に対して、それぞれ１２０度の角度をなし、且つ、互いに１２０度の角度をなすように設けられた第２棒状部材、及び第３棒状部材とを有するゴルフ練習具が知られている（特許文献２参照）。
【先行技術文献】
【特許文献】
【０００５】
【特許文献１】特開２００６-０５５２６７号公報
【特許文献２】特許第６４４２６３５号公報
【発明の概要】
【発明が解決しようとする課題】
【０００６】
しかしながら、特許文献１及び特許文献２のゴルフスイング練習具では、腕の動きに着目しているが、それだけでは安定したゴルフスイングを達成するまでには到っていない。
【０００７】
本発明は、上記の点に鑑みてなされたものであり、ゴルフのスイングの練習をより確実且つ容易に行えるようにすることを目的としている。
【課題を解決するための手段】
【０００８】
上記の目的を達成するために、この発明では、ゴルフスイング練習具に胸部部材、第１アーム部材、第２アーム部材、第１脇下部材及び上記第２脇下部材を設けた。
【０００９】
具体的には、第１の発明のゴルフスイング練習具は、
使用者の胸部に押し当てる胸部部材と、
上記胸部部材の両端に該胸部部材の軸心方向に対してそれぞれ所定の角度で傾斜した状態で回転可能に設けられる第１アーム部材及び第２アーム部材と、
上記胸部部材の両端にそれぞれ設けられ、上記使用者の脇に配置される第１脇下部材及び第２脇下部材とを備えている。
【００１０】
上記の構成によると、胸部部材をユーザの胸部に押し当てて、第１脇下部材及び第２脇下部材を使用者の脇に配置した状態で、ゴルフボールの打撃方向の後ろ側から見て鉛直軸から３０°程度上半身の軸を傾けた状態でゴルフスイングを行うと、第１アーム部材及び第２アーム部材が上半身の軸を中心に回動するので、軸をぶらさずに腰を回すイメージを掴める。また、第１脇下部材及び第２脇下部材を使用者の脇に配置しながら腰を回すので、利き腕と反対側の腕に先導されて自然に利き腕がテークバックされる感覚を掴むことができる。このとき、第１アーム部材が適度に胸部部材に対して回転するので、第１アーム部材に添えた利き腕の上腕がスイングに合わせて捩れる感覚も掴むことができる。
【００１１】
第２の発明では、第１の発明において、
上記第１アーム部材を上記胸部部材に対して回動可能に連結する第１連結部材と、
上記第２アーム部材を上記胸部部材に対して回動可能に連結する第２連結部材とを備えている。
【００１２】
上記の構成によると、簡単な構成で第１アーム部材及び第２アーム部材を胸部部材に回動可能に連結できる。これにより、利き腕及び利き腕と反対側の腕がスイングに合わせて無理なく捩れる感覚を掴むことができる。
【００１３】
第３の発明では、第２の発明において、
上記第１連結部材は、上記第１アーム部材を上記胸部部材の軸心方向に対して１２０°の角度で傾斜した状態で回転可能に連結すると共に、上記第１脇下部材を連結する三つ叉部材であり、
上記第２連結部材は、上記第２アーム部材を上記胸部部材の軸心方向に対して１２０°の角度で傾斜した状態で回転可能に連結すると共に、上記第２脇下部材を連結する三つ叉部材である。
【００１４】
上記の構成によると、簡単な構成で、第１アーム部材及び第２アーム部材をそれぞれ胸部部材の軸心方向に対して１２０°に維持できるので、ゴルフスイングにおけるホームチェックを確実且つ容易に行うことができる。
【００１５】
第４の発明では、第３の発明において、
上記第１連結部材は、上記第１脇下部材を上記胸部部材の軸心方向に対して１２０°の角度で傾斜した状態で回転可能に連結すると共に、
上記第２連結部材は、上記第２脇下部材を上記胸部部材の軸心方向に対して１２０°の角度で傾斜した状態で回転可能に連結している。
【００１６】
上記の構成によると、３つの部材がそれぞれ１２０°に均等な角度で配置されることにより、ゴルフスイングにおけるホームチェックをさらに容易に行うことができる。
【００１７】
第５の発明では、第１から第４のいずれか１つの発明において、
上記胸部部材、上記第１アーム部材、上記第２アーム部材、上記第１脇下部材及び上記第２脇下部材は、それぞれ互いに脱着可能に構成されている。
【００１８】
上記の構成によると、矯正したい部位に合わせて例えば、第１アーム部材を外したり、第２アーム部材を外したりして種々のゴルフスイングの矯正を行うことができる。
【００１９】
第６の発明では、第１から第５のいずれか１つの発明において、
上記胸部部材を上記使用者の胸部に押し当て、第１脇下部材及び第２脇下部材を使用者の脇に配置した状態で、上記第１アーム部材に利き腕を添え、上記第２アーム部材に該利き腕と反対側の腕を添えた状態でスイングしながら、スイングを矯正する構成とする。
【００２０】
上記の構成によると、利き腕を第１アーム部材に添えて上半身の軸を傾斜させてスイングすると、腰を回すのに併せて自然に利き腕がテークバックされると共に、利き腕と反対の腕も第２アーム部材に添えて腰を回すと、利き腕と反対側の腕に先導されて利き腕がテークバックされる感覚も同時に掴むことができる。
【００２１】
第７の発明では、第１から第５のいずれか１つの発明において、
上記胸部部材を上記使用者の胸部に押し当て、第１脇下部材及び第２脇下部材を使用者の脇に固定した状態で、上記第１アーム部材と上記第２アーム部材の間にゴルフクラブを握った両腕を配置した状態でスイングしながら、スイングを矯正する構成とする。
【００２２】
上記の構成によると、ゴルフクラブが第１アーム部材と第２アーム部材との間の領域に制限されるので、腕だけでゴルフクラブを操作することがなくなり、滑らかで自然なスイングフォームを体に覚え込ませることができる。
【発明の効果】
【００２３】
以上説明したように、本発明によれば、例えば、胸部部材を使用者の胸部に押し当てた状態で、第１アーム部材に利き腕を添え、第２アーム部材に利き腕と反対側の腕を添えた状態でスイングしながら、スイングを矯正することにより、ゴルフのスイングの練習をより確実且つ容易に行える。また、胸部部材を使用者の胸部に押し当て、第１脇下部材及び第２脇下部材を使用者の脇に固定した状態で、第１アーム部材と第２アーム部材の間にゴルフクラブを握った両腕を配置した状態でスイングしながら、スイングを矯正することにより、滑らかで自然なスイングフォームを体に覚え込ませることができる。
【図面の簡単な説明】
【００２４】
【図１】本発明の実施形態に係るゴルフスイング練習具を示す平面図である。
【図２】本発明の実施形態に係るゴルフスイング練習具を示す斜視図である。
【図３Ａ】後方（ゴルフボールの打撃方向の後ろ側）から見たアドレス時の状態を示す説明図である。
【図３Ｂ】後方から見たバックスイング時の状態を示す説明図である。
【図３Ｃ】後方から見たインパクト時の状態を示す説明図である。
【図３Ｄ】後方から見たフォロー時の状態を示す説明図である。
【図４Ａ】正面（使用者の顔側）から見たアドレス時の状態を示す説明図である。
【図４Ｂ】正面から見たバックスイング時の状態を示す説明図である。
【図４Ｃ】正面から見たインパクト時の状態を示す説明図である。
【図４Ｄ】正面から見たフォロー時の状態を示す説明図である。
【図５】練習用のゴルフクラブを持ってスイング練習したときの状態を示す図３Ｂ相当の説明図である。
【発明を実施するための形態】
【００２５】
以下、本発明の実施形態を図面に基づいて詳細に説明する。
【００２６】
図１及び図２に示すように、ゴルフスイング練習具１は、図３Ａ〜図４Ｄにも示すように、ゴルフのスイングを練習する使用者５０の胸部５１に押し当てる胸部部材２を備えている。本実施形態では、胸部部材２は、プラスチック製の丸パイプよりなるが、材質や外径は特に限定されない。場合によっては、胸部５１の形状に合わせて湾曲していてもよい。胸部部材２の長さは使用者５０の胸部５１の幅に合わせて適宜選択される。以下、右利きの使用者５０の図面を用いて説明するが、左利きの使用者５０でも同様に使用が可能である。
【００２７】
胸部部材２の両端には、三つ叉部材よりなる第１連結部材７と第２連結部材８とがそれぞれ接続されている。例えば、これら第１連結部材７及び第２連結部材を３本の水道ホースを連結する三つ叉ジョイントニップルと同等の樹脂成形品で構成してもよい。本実施形態では、均等に１２０°に接続部が延びているが、この角度は場合によっては変更してもよく、材質も特に限定されない。胸部部材２は、これら第１連結部材７及び第２連結部材８の内径に合わせた外径とすることで、脱着が容易となり、回転も可能となっている。
【００２８】
そして、１つの接続部が胸部部材２に連結された第１連結部材７の他の接続部には、所定の角度（ここでは１２０°）で傾斜した状態で回転可能に第１アーム部材３が接続されている。この第１アーム部材３は、胸部部材２と同じ外径として第１連結部材７の接続部に差し込んでもよいが、本実施形態では、第１コネクタ部９を介して第１アーム部材３が回転可能且つ脱着可能に接続されている。第１アーム部材３の外径は、第１コネクタ部９に合わせて設定すればよく、本実施形態では、胸部部材２よりも大きい外径となっている。第１アーム部材３は、樹脂製丸パイプ、紙製丸パイプ、アルミパイプなどで構成されている。第１アーム部材３の長さは、例えば、胸部部材２を胸部５１に押し当てて前方に利き腕５４を伸ばしたときに利き腕５４の先と同等の長さとする。
【００２９】
同様に、１つの接続部が胸部部材２に連結された第２連結部材８の他の接続部には、所定の角度（ここでは１２０°）で傾斜した状態で回転可能に第２アーム部材４が接続されている。この第２アーム部材４は、胸部部材２と同じ外径として第２連結部材８の接続部に差し込んでもよいが、本実施形態では、第２コネクタ部１０を介して第２アーム部材４が回転可能且つ脱着可能に接続されている。第２アーム部材４の外径は、第２コネクタ部１０に合わせて設定すればよく、本実施形態では、胸部部材２よりも大きい外径となっている。第２アーム部材４も、樹脂製丸パイプ、紙製丸パイプ、アルミパイプなどで構成されている。第２アーム部材４の長さは、例えば、胸部部材２を胸部５１に押し当てて前方に利き腕と反対側の腕５５を伸ばしたときに利き腕と反対側の腕５５の先と同等の長さとし、第１アーム部材３と同じ長さであれば左右のバランスがとれてよい。
【００３０】
第１連結部材７のもう１つの接続部には、使用者５０の右脇５２に配置される第１脇下部材５が脱着可能且つ回転可能に連結されている。第１脇下部材５は、例えば、胸部部材２と同じ外径で第１連結部材７の接続部に対して脱着可能且つ回転可能に設けられており、胸部部材２と同じ樹脂製丸パイプで構成してもよいし、スイングの安定性を得るためにそれよりも重いアルミパイプやステンレスパイプで構成してもよい。第１脇下部材５は、本実施形態では、真っ直ぐな棒状の丸パイプで構成されており、その長さは、スイング時に視野に入る程度の長さとなっている。例えば、第１脇下部材５は、右脇５２に安定して保持できるように湾曲していてもよい。
【００３１】
同様に、第２連結部材８のもう１つの接続部には、使用者５０の左脇５３に配置される第２脇下部材６が脱着可能且つ回転可能に連結されている。第２脇下部材６は、例えば、胸部部材２と同じ外径で第２連結部材８の接続部に対して脱着可能且つ回転可能に設けられており、胸部部材２と同じ樹脂製丸パイプで構成してもよいし、スイングの安定性を得るためにそれよりも重いアルミパイプやステンレスパイプで構成してもよい。第２脇下部材６は、本実施形態では、真っ直ぐな棒状の丸パイプで構成されており、その長さは、スイング時に視野に入る程度の長さとなっている。例えば、この第２脇下部材６も、左脇５３に安定して保持できるように湾曲していてもよい。
【００３２】
第１及び第２コネクタ部９，１０は、第１連結部材７、第２連結部材８を三つ叉ジョイントニップルで構成した場合には、公知の脱着機構付のコネクタを用いてもよい。これら第１連結部材７、第２連結部材８、第１及び第２コネクタ部９，１０の構成は特に限定されず、これらによって胸部部材２、第１アーム部材３、第２アーム部材４、第１脇下部材５、第２脇下部材６がそれぞれ脱着可能且つ回転可能に連結されていればよい。
【００３３】
本実施形態では、第１連結部材７は、第１アーム部材３を胸部部材２に対して１２０°の角度で傾斜した状態で回転可能に連結すると共に、第１脇下部材５を連結する三つ叉部材とし、第２連結部材８は、第２アーム部材４を胸部部材２に対して１２０°の角度で傾斜した状態で回転可能に連結すると共に、第２脇下部材６を連結する三つ叉部材としたが、これにより、簡単な構成で、第１アーム部材３及び第２アーム部材４をそれぞれ胸部部材２に対して１２０°に維持できるので、ゴルフスイングにおけるホームチェックを確実且つ容易に行うことができる。１２０°は、スイングフォームを確認するために重要な角度であるが、この角度は適宜変更してもよい。
【００３４】
また、第１連結部材７は、第１脇下部材５を胸部部材２に対して１２０°の角度で傾斜した状態で回転可能に連結すると共に、第２連結部材８は、第２脇下部材６を胸部部材２に対して１２０°の角度で傾斜した状態で回転可能に連結するようにしたが、これにより、３つの部材がそれぞれ１２０°に均等な角度で配置されることにより、ゴルフスイングにおけるホームチェックをさらに容易に行うことができる。第１アーム部材３及び第２アーム部材４の先端には、ゴム製などのキャップ３ａ，４ａがそれぞれ設けられていてもよく、第１脇下部材５及び第２脇下部材６にも、ゴム製などのキャップ５ａ，６ａがそれぞれ設けられていてもよい。
【００３５】
以下に、本実施形態のゴルフスイング練習具１に左右両手を添えてゴルフスイングの練習をする方法について説明する。
【００３６】
図３Ａ〜図４Ｄに示すように、胸部部材２を使用者５０の胸部５１に押し当てた状態で、第１アーム部材３に利き腕５４を添え、第２アーム部材４に利き腕５４と反対側の腕を添えた状態でスイングしながら、スイングを矯正する。
【００３７】
図３Ａ〜図４Ｄに示すように、例えば背面側にＶ字状目印６０を配置し、正面側に鉛直ポール６１を立て、床面にＹ字状目印６２を配置した状態で、スイングを行いながらビデオカメラ等で撮影するなどにより、それぞれのポイントでのフォームチェックを効果的に行える。例えば、Ｙ字状目印６２は、１本のハンドル部に対して左右に一対の棒部材が１２０°の角度で連結されたものであり、打球方向に対して棒部材が１２０°傾くように床に置くとよい。
【００３８】
各図を見てわかるように、第１脇下部材５及び第２脇下部材６を右脇５２及び左脇５３に当てるようにしながらスイングを行うことで、脇が開かず、スイングが安定して頭の位置の振れは最小限になる。
【００３９】
図３Ａ及び図４Ａに示すアドレスの姿勢から利き腕と反対側の腕５５にリードされながら利き腕５４が持ち上げられ、図３Ｂ及び図４Ｂに示すバックスイングの姿勢になる。
【００４０】
図４Ｂに示すように、トップの位置で、第１アーム部材３がＶ字状目印６０の先端側に位置するように振り上げられる。このとき、第１アーム部材３が第１連結部材７に対して自由に回転するので、利き腕５４の上腕が適切な角度に捩られる。
【００４１】
そこから図３Ｃ及び図４Ｃに示すインパクトの姿勢まで、脇を締めながら利き腕と反対側の腕５５にリードされながら利き腕５４の上腕は、適度に捩られながらスイングが行われる。このときも、頭の位置ができるだけ振れないようにする。
【００４２】
次いで、図３Ｄ及び図４Ｄに示すフォロースルーまで、ゴルフスイング練習具１に誘導されながらフォームチェックを行う。
【００４３】
この方法では、胸部部材２をユーザの胸部５１に押し当てて、第１脇下部材５及び第２脇下部材６を使用者５０の脇に配置した状態で、ゴルフボールの打撃方向の後ろ側から見て鉛直軸から約３０°体の軸を傾けた状態でゴルフスイングを行うと、第１アーム部材３及び第２アーム部材４が軸を中心に回動するので、軸をぶらさずに腰を回すイメージを掴める。
【００４４】
また、この方法は、図５に示す様な方法で行ってもよい。例えば、猫背矯正ベルト５６のような脇及び背中に装着するものを利用し、この猫背矯正ベルト５６に第１脇下部材５及び第２脇下部材６を挿入して固定し、それによってフリーとなった両手で例えば、練習用のゴルフクラブ５７を持ってスイングチェックすることもできる。この場合、ゴルフクラブ５７が第１アーム部材３と第２アーム部材４との間で動きを規制されることで、腕のみでゴルフクラブ５７を操作する乱れたフォームが規制される。また、各フォームにおいて、Ｖ字状目印６０、鉛直ポール６１、Ｙ字状目印６２などと適宜角度合わせをすることで、適切なスイングフォームを練習することができる。例えば、図５に示すように、ゴルフクラブ５７の傾きとＶ字状目印６０の角度を合わせたり、ゴルフクラブ５７とＹ字状目印６２の棒状部材とを平行にしたりするとよい。なお、図５では、練習用の短いゴルフクラブ５７を用いているが、通常のゴルフクラブ５７でも同様である。
【００４５】
また、図示しないが、例えば、第２アーム部材４及び第２脇下部材６を含む第２連結部材８を胸部部材２から取り外し、胸部部材２を左手で胸部５１に当てた状態で、第１アーム部材３を回動させながら利き腕５４を回動させると、第１アーム部材３が第１連結部材７に対して第１コネクタ部９を介して回転可能であるため、姿勢を保ったまま利き腕５４の回転する感覚を掴むことができる。
【００４６】
その他にも、利き腕５４のみ添えたり、利き腕と反対側の腕５５のみ添えたり、第２アーム部材４を外したりしてスイング練習をしてもよいし、図５で示すゴルフクラブ５７の代わりに、特許文献２のようなＹ字状のゴルフスイング練習具を握ってスイング練習してもよい。
【００４７】
以上説明したように、本発明によれば、例えば、胸部部材２を使用者５０の胸部に押し当てた状態で、第１アーム部材３に利き腕５４を添え、第２アーム部材４に利き腕５４と反対側の腕を添えた状態でスイングしながら、スイングを矯正することにより、ゴルフのスイングの練習をより確実且つ容易に行える。
【００４８】
（その他の実施形態）
本発明は、上記実施形態について、以下のような構成としてもよい。
【００４９】
すなわち、ゴルフスイング練習具１の各部の長さや太さなどの諸元は、種々設定可能である。例えば第１アーム部材３及び第２アーム部材４の長さは、各図に示すような場合に足先や地面などにつかえたりしない範囲で種々設定することができる。また、胸部部材２、第１アーム部材３、第２アーム部材４、第１脇下部材５及び第２脇下部材６等の長さをそれぞれ調節可能に設けたりしてもよい。
【００５０】
また、胸部部材２、第１アーム部材３、第２アーム部材４、第１脇下部材５及び第２脇下部材６の色を種々設定して、フォーム確認中に確認すべき部材を順次容易に把握できるようにしてもよい。
【００５１】
図３Ｂ、図４Ｂ及び図５のバックスイングは、フルスイングであると、さらに情報へ振り上げるが、その場合でもゴルフスイング練習具１を使用して練習できる。
【００５２】
なお、以上の実施形態は、本質的に好ましい例示であって、本発明、その適用物や用途の範囲を制限することを意図するものではない。
【符号の説明】
【００５３】
１      ゴルフスイング練習具
２      胸部部材
３      第１アーム部材
４      第２アーム部材
５      第１脇下部材
６      第２脇下部材
７      第１連結部材
８      第２連結部材
９      第１コネクタ部
１０      第２コネクタ部
５０      使用者
５１      胸部
５２      右脇
５３      左脇
５４      利き腕
５５      利き腕と反対側の腕
５６      猫背矯正ベルト
５７      ゴルフクラブ
６０      Ｖ字状目印 
６１      鉛直ポール 
６２      Ｙ字状目印
【要約】
【課題】ゴルフのスイングの練習を容易にできるようにする。
【解決手段】ゴルフスイング練習具１は、使用者５０の胸部５１に押し当てる胸部部材２と、この胸部部材２の両端にそれぞれ所定の角度で傾斜した状態で回転可能に設けられる第１アーム部材３及び第２アーム部材４と、胸部部材２の両端にそれぞれ設けられ、使用者５０の脇に配置される第１脇下部材５及び第２脇下部材６とを備える。
【選択図】図４Ｃ【図１】
0006644368.tif 000002
【図２】
0006644368.tif 000003
【図３Ａ】
0006644368.tif 000004
【図３Ｂ】
0006644368.tif 000005
【図３Ｃ】
0006644368.tif 000006
【図３Ｄ】
0006644368.tif 000007
【図４Ａ】
0006644368.tif 000008
【図４Ｂ】
0006644368.tif 000009
【図４Ｃ】
0006644368.tif 000010
【図４Ｄ】
0006644368.tif 000011
【図５】
0006644368.tif 000012